(57)【要約】【課題】移動可能なキャリッジに記録ヘッドと共にセンサユニットを備える場合に、センサユニット内へのインクミストの侵入を抑えつつ、センサユニットに対するケーブルの接続および接続解除が容易な記録装置を提供すること。【解決手段】センサユニット１のハウジング２とキャリッジ８との対向面の少なくとも一方に、記録ヘッド９のインクの吐出方向とは異なる方向に切り欠かれた切欠部１０を形成する。センサユニット１のハウジング２に形成した開口部１８と切欠部１０を通して、光センサ１のフレキシブルケーブル３を配線する。【選択図】図５
2013202827.tif 000002
【特許請求の範囲】
【請求項１】
インクジェット方式の記録ヘッドを保持して移動するキャリッジと、前記キャリッジに取り付けられるセンサユニットとを有する記録装置であって、
前記センサユニットは、前記キャリッジの側面に取り付けられるハウジングと、前記ハウジングの内部に設けられ、発光素子、受光素子およびコネクタが実装される基板と、を有し、
前記ハウジングは開口を有し、前記ハウジングが前記キャリッジに取り付けられた状態では前記側面により前記開口が塞がれており、
前記ハウジングと前記側面とが対向する部位には、前記ハウジングと前記側面の少なくとも一方に、前記ハウジングの内部から前記記録ヘッドからインクが吐出する方向とは異なる方向に沿って切り欠かれた切欠部が形成されており、
前記コネクタに接続される電気的なケーブルは、前記切欠部を通して配線されている、ことを特徴とする記録装置。
【請求項２】
前記ケーブルはＦＦＣであり、前記切欠部を通る前後の少なくとも一方において、前記切欠部の切り欠き方向と異なる方向に曲げられることを特徴とする、請求項１に記載の記録装置。
【請求項３】
前記基板の一方の面に前記コネクタが実装され、前記基板の他方の面に前記発光素子と前記受光素子が実装されていることを特徴とする、請求項１または２に記載の記録装置。
【請求項４】
前記側面は、前記キャリッジの移動方向に面する側面であることを特徴とする、請求項１から３のいずれか１項に記載の記録装置。
【請求項５】
前記切欠部の隙間を埋める弾性部材が設けられていることを特徴とする、請求項１から４のいずれか１項に記載の記録装置。
【発明の詳細な説明】
【技術分野】
【０００１】
本発明は、インクジェット方式の記録ヘッドを保持するキャリッジへの、センサユニットの取り付け技術に関するものである。
【背景技術】
【０００２】
インクジェット方式の記録ヘッドは、インクを吐出する際にインクミストを発生する。このインクミストは極めて小さく、記録装置の機内を浮遊して構成部品に付着した場合には、種々の影響を及ぼすおそれがある。例えば、記録ヘッドを交換する際にユーザが操作するレバーにインクミストが付着した場合には、ユーザの手を汚してしまうおそれがある。また、回路基板にインクミストが付着すると誤動作を引き起こすおそれがあり、また、記録画像などを読み取るためのセンサユニットにインクミストが付着した場合には、そのセンサユニットの機能の劣化を招くおそれがある。
【０００３】
特許文献１には、記録ヘッドおよび回路基板を備える移動可能なヘッドホルダ（キャリッジに相当）において、回路基板にインクミストが付着しないように、シール部材を介して、電気回路基板全体をカバーによって覆う構成が記載されている。回路基板は、フレキシブルケーブルを介して、装置本体側の制御回路に接続される。
【先行技術文献】
【特許文献】
【０００４】
【特許文献１】特許第４６４５１５１号公報
【発明の概要】
【発明が解決しようとする課題】
【０００５】
特許文献１に記載の構成において、回路基板から引き出されるフレキシブルケーブルの引き出し部分は、ヘッドホルダとカバーとの間においてシール部材によりシールされている。そのため、回路基板に対してフレキシブルケーブルを抜き差しするためには、カバーを外して、シールを解かなければならない。仮に、そのような回路基板と共にセンサユニットをヘッドホルダに備えた場合には、そのセンサユニットに接続されるケーブの引き出し部分も同様に、ヘッドホルダとカバーとの間においてシール部材によりシールされることが考えられる。その場合、センサユニットを交換する際には、カバーを外してシールを解かなければならない。また、そのセンサユニットを交換した後は、シール部材を圧縮するようにカバーを取り付けて、センサユニット用のケーブルの引き出し部分を再度シールしなければならない。また、単に、ヘッドホルダに形成した開口部を通して、センサユニット用のケーブルをシールせずに引き出した場合には、その開口部からインクミストがセンサユニットの内部に侵入するおそれがある。
【０００６】
本発明の目的は、キャリッジに取り付けられたセンサユニットセンサユニットの内部へのインクミストの侵入を抑えつつ、センサユニットユニットへのケーブルの接続が容易な構造を持つ記録装置を提供することにある。
【課題を解決するための手段】
【０００７】
本発明のインクジェット記録装置は、インクジェット方式の記録ヘッドを保持して移動するキャリッジと、前記キャリッジに取り付けられるセンサユニットとを有する記録装置であって、前記センサユニットは、前記キャリッジの側面に取り付けられるハウジングと、前記ハウジングの内部に設けられ、発光素子、受光素子およびコネクタが実装される基板と、を有し、前記ハウジングは開口を有し、前記ハウジングが前記キャリッジに取り付けられた状態では前記側面により前記開口が塞がれており、前記ハウジングと前記側面とが対向する部位には、前記ハウジングと前記側面の少なくとも一方に、前記ハウジングの内部から前記記録ヘッドからインクが吐出する方向とは異なる方向に沿って切り欠かれた切欠部が形成されており、前記コネクタに接続される電気的なケーブルは、前記切欠部を通して配線されている、ことを特徴とする。
【発明の効果】
【０００８】
本発明によれば、センサユニットのハウジングとキャリッジとの対向面の少なくとも一方に、記録ヘッドのインクの吐出方向とは異なる方向に切り欠かれた切欠部と、センサユニットのハウジングに形成した開口部と、を通して光センサのケーブルを配線する。これにより、特別なシール構造を必要とすることなく、ハウジングの開口部からセンサユニット内へのインクミストの侵入を抑えつつ、センサユニットに対するケーブルの接続および接続解除の作業性を向上させることができる。
【図面の簡単な説明】
【０００９】
【図１】本発明の第１の実施形態におけるインクジェット記録装置の概略断面図である。
【図２】図１の記録装置の要部の側面図である。
【図３】図２のＩＩＩ矢視の拡大図である。
【図４】図１の記録装置の制御系の要部のブロック構成図である。
【図５】図３におけるセンサユニットの断面図である。
【図６】図５のセンサユニットを同図中の右側から見た側面図である。
【図７】図５のＶＩＩ矢視図である。
【図８】本発明の第２の実施形態における要部の断面図である。
【図９】本発明の第３の実施形態における要部の断面図である。
【図１０】本発明の第４の実施形態における要部の断面図である。
【発明を実施するための形態】
【００１０】
以下、本発明の実施形態について、図面を参照しながら説明する。  
（第１の実施形態）
図１は、本発明を適用可能なインクジェット記録装置の概略断面図である。本例の記録装置１００はシリアルスキャンタイプであり、主走査方向（図１中紙面の表裏方向）に移動可能なキャリッジ８に、インクを吐出可能のインクジェット方式の記録ヘッド９が着脱可能に搭載されている。図２は、キャリッジ８を図１中の紙面の裏側から見た概略断面図、図３は、キャリッジ８を図２中の矢印ＩＩＩ方向から見た拡大図である。
【００１１】
キャリッジ８は、ガイド軸１９と板金製のガイド板２０によって、矢印Ｘの主走査方向に移動可能にガイドされている。ガイド軸１９は、キャリッジ８の軸受とスライド可能に嵌合し、ガイド板２０は、キャリッジ８の上下のガイドコロ２１，２２の間に挟み込まれている。上側のガイドコロ２１は、キャリッジ８の定位置に回転可能に取り付けられ、下側のガイドコロ２２は、図示していないバネによってガイド板２０の下面を押圧しながら回転するように、キャリッジ８の定位置に回転可能に取り付けられている。キャリッジ８は、図示していないキャリッジモータにより、ガイド軸１９およびガイド板２０にガイドされつつ矢印Ｘの主走査方向に往復移動される。キャリッジ８には記録ヘッド９が搭載されている。キャリッジ８には更に、主走査方向におけるキャリッジ８の一方側（図３中の左側）に、シート上の情報を光学的に読み取るセンサユニット１が取り付けられている。
【００１２】
記録ヘッド９の直下にはプラテン２３が配備されており、そのプラテン２３の上を通して、シート１１が主走査方向と交差（本例の場合は直交）する矢印Ｙの副走査方向に搬送される。シート１１は、図示していない搬送モータによって回転されるＬＦローラ２６により、副走査方向に搬送される。
【００１３】
記録ヘッド９には、インクジェット方式によりインクを吐出可能な複数のノズルが形成されており、それらのノズルは、主走査方向と交差（本例の場合は、直交）する方向に沿うノズル列を形成するように配列されている。ノズルは、電気熱変換素子（ヒータ）やピエゾ素子などの吐出エネルギ発生素子を用いて、インクジェット方式によりインクを吐出する。
【００１４】
図４は、記録装置１００の制御系の要部のブロック構成図である。ＣＰＵ３０は、記録装置１００の全体の制御を司る制御部である。搬送モータ制御部２８は、ＬＦローラ２６を駆動するための搬送モータを制御し、キャリッジモータ制御部２９は、キャリッジ８を移動させるためのキャリッジモータを制御する。ヘッド駆動制御部３１は記録ヘッド９を制御し、センサ制御部３２はセンサユニット１を制御し、記憶部３３は、後述する調整値などを記憶する。記録装置１００は、パーソナルコンピュータなどのホスト装置２７から受信した画像データに基づいて、シート１１に画像を記録することができる。
【００１５】
図５は、センサユニット１の断面図、図６は、センサユニット１を図５中の右側から見た側面図、図７は、図５のＶＩＩ矢視図である。
【００１６】
センサユニット１は、ハウジング２、基板４、コネクタ５、発光素子６、および受光素子７を含む。基板４の上面（一方の面）にはコネクタ５がハンダ付けで実装され、その下面（他方の面）には発光素子６と受光素子７がハンダ付けで実装されている。コネクタ５には、フレキシブルケーブル３（ＦＦＣ：フレキシブル・フラット・ケーブル）の一端が抜き差し可能に接続されており、その他端は、キャリッジ８の内部に備わる不図示のキャリッジ基板に接続されている。キャリッジ基板は、インクジェット記録装置の制御部に接続されている。したがってフレキシブルケーブル３は、センサユニット１のコネクタ５とインクジェット記録装置とを電気的に接続可能なケーブルである。
【００１７】
キャリッジ８に搭載された記録ヘッド９は、キャリッジ８と共に主走査方向に往復移動しながらインクを吐出することにより、記録ヘッド９の直下に位置するシート１１に画像を記録する。
【００１８】
キャリッジ８の図５中の左側に取り付けられたセンサユニット１は、キャリッジ８に搭載される記録ヘッド９の最下面よりも上方に位置するように着脱可能に装着されている。ハウジング２には、図５中の右側に開口する開口部１８が形成されており、センサユニット１は、その開口部１８の周縁部がキャリッジ８の図５中左方の側面８Ａの部位に密着するように取り付けられている。したがって、センサユニット１を取り付けられたときに、そのハウジング２の開口部１８は、キャリッジ８の側面８Ａによって閉塞される。キャリッジ８の側面８Ａは、キャリッジ８の移動方向に面する。
【００１９】
ハウジング２には、図６のように、センサユニット１をキャリッジ８に位置決めするための位置決め穴１３，１４が形成されている。位置決め穴１４は長孔である。これらの位置決め穴１３，１４に対して、キャリッジ８の側面８Ａに設けられた不図示のボスが嵌合することにより、センサユニット１が位置決めされる。ハウジング２に設けられた穴１５、およびキャリッジ８の側面８Ａに設けられた不図示の穴に、ビス３４を取り付けることにより、センサユニット１は、キャリッジ８の側面８Ａに対して密着するように固定される。
【００２０】
ハウジング２は、スナップフィットにより取り付けられたハウジングカバーと共に、基板４、コネクタ５、発光素子６、および受光素子７を覆っている。センサユニット１には、発光素子６の発光路と受光素子７の受光路を形成するためのピンホール１７が形成されている。ピンホール１７には、レンズや透明板を取り付けてもよい。
【００２１】
ハウジング２の開口部１８の周縁部の上側部分には、その開口部１８の内部から上方に向かうように、つまり記録ヘッド９におけるインクの吐出方向とは逆方向に向かって切り欠かれた切欠部１０が形成されている。
【００２２】
一端がコネクタ５に接続されたフレキシブルケーブル３は、ハウジング２の開口部１８から上方に向かうように、部分３Ａにおいて９０度折り曲げられてから、切欠部１０とキャリッジ８の側面８Ａとの間を通して上方に引き出される。ハウジング２の上方に引き出されたフレキシブルケーブル３は、さらに部分３Ｂにおいて９０度折り曲げられてから、キャリッジ８の側面８Ａに形成された不図示の開口部を通して、不図示のキャリッジ基板に接続される。このように、切欠部１０を通して配線されるフレキシブルケーブルは、切欠部１０の前後におけるフレキシブルケーブルの部分３Ａ，３Ｂが、切欠部の切り欠き方向とは異なる方向（本例の場合は、直交する方向）に曲げられている。それらの部分３Ａ，３Ｂの内の少なくとも一方を曲げるようにしてもよい。
【００２３】
サービスマンが現在のセンサユニット１をメンテナンスする、あるいは新規なものと交換する場合には、まず、サービスマンはビス３４を外して、現在のセンサユニット１のハウジング２をキャリッジ８から取り外す。その後、開口部１８を通して、フレキシブルケーブル３の一端をコネクタ５から抜き放してから、そのフレキシブルケーブル３の一端を新規なセンサユニット１のコネクタ５に接続する。その後、メンテナンス済もしくは新規なセンサユニット１のハウジング２をビス３４によってキャリッジ８に固定する。その際、図５のように、切欠部１０を通してフレキシブルケーブル３を引き出すように配線する。このように、ハウジング２を取り外すことによりセンサユニット１を容易に交換することができ、フレキシブルケーブル３は、特別なシール部材を備えていない切欠部１０を通して、ハウジング２の外部に引き出すことができる。
【００２４】
センサユニット１は、シート１１の先端、左端部、および右端部を検知する他、シート１１に記録された画像の読み取りに用いることができる。シート１１の先端を検知することにより、画像の記録開始位置を判断して、シート１１の先端に、指示された余白（先端余白）を形成することができる。また、シート１１の左右の端部を検知することにより、シート１1の左右の端部に、指示された余白（左右余白）を形成することができ、さらに、シート１１を副走査方向に搬送させたときの斜行を検知することもできる。また、センサユニット１によって、シート１１に記録した特定の画像（テストパターン）を読み取ることにより、記録ヘッド９による画像の記録位置を調整（レジ調整）することができる。その調整値は記憶部３３に保存され、ヘッド駆動制御部３１は、その記憶部３３に記憶されている調整値に基づいて、記録ヘッド９からのインクの吐出タイミングを制御することにより、画像の記録位置を調整することができる。
【００２５】
センサユニット１による、シート１１の先端や左右端の検知動作について説明する。キャリッジ８の側面８Ａに取り付けられているセンサユニット１は、キャリッジ８と共に移動する。キャリッジモータ制御部２９は、図示していないキャリッジモータによりキャリッジ８を矢印Ｘの主走査方向に移動させる。その移動中に、センサユニット１は発光素子６と受光素子７によって、プラテン２３の上面の色である黒と、シート１１の色である白と、の境界を検知する。すなわち、まず、キャリッジ８が図５中矢印Ｘ１の左方向に移動し、その際に、センサユニット１がプラテン２３の上面の色である黒を検知する。そして、キャリッジ８が左方にある程度移動したときに、センサユニット１はシート１１の色である白を検知することになる。そのときの移動位置をシート１１の右端部の位置と認識し、その位置情報を記憶部３３に記憶する。さらに、キャリッジ８が左方にある程度移動したときに、センサユニット１はシート１１の色である白から、プラテン２３の上面の色である黒を検知することになる。そのときの移動位置をシート１１の左端部の位置と認識し、その位置情報を記憶部３３に記憶する。
【００２６】
次に、センサユニット１によるシート１１の先端の検知動作について説明する。
【００２７】
キャリッジモータ制御部２９は、記憶部３３に記憶されたシート１１の左端部と右端部の位置情報に基づいて、不図示のキャリッジモータを駆動させることにより、シート１１の右端部から所定距離ずれた特定位置までキャリッジ８を移動させる。その後、搬送モータ制御部２８がＬＦローラ２６を駆動させて、シート１１を副走査方向に搬送させる。シート１１を搬送させている間に、発光素子６と受光素子７によって、プラテン２３の上面の色である黒と、シート１１の色である白と、の境界を検知する。まず、センサユニット１は、プラテン２３の上面によって反射された発光素子６の照射光を受光素子７が受光することにより、プラテン２３の上面の色である黒を検知する。ＬＦローラ２６によってシート１１が副走査方向に搬送されることにより、センサユニット１は、プラテン２３の上面の色である黒から、シート１１の色である白を検知することになる。その時点においてシート１１の先端を検出したと認識し、その先端の位置情報を記憶部３３に記憶する。
【００２８】
次に、画像の記録方法について説明する。
【００２９】
パーソナルコンピュータ形態などのホスト装置２７から、ＣＰＵ３０が画像の記録命令を受信すると、搬送モータ制御部２８、キャリッジモータ制御部２９、ヘッド駆動制御部３１、および記憶部３３が機能して、シート１１に画像を記録する。すなわち、まず、搬送モータ制御部２８の制御下において、不図示の搬送モータ制御部２８によってＬＦローラ２６が駆動されることにより、シート１１は副走査方向に一定量搬送される。その後、キャリッジモータ制御部２９の制御下において、不図示のキャリッジモータがキャリッジ８を主走査方向に移動させる。その際、記憶部３３に記憶されている位置情報に基づいて、ヘッド駆動制御部３１が記録ヘッド９からインクを吐出させることにより、シート１１上に一定幅の画像が記録される。このようなシート１１の一定量の搬送動作と、記録ヘッド９を移動させつつノズルからインクを吐出する動作と、を繰り返すことにより、シート１１上に画像を順次記録する。
【００３０】
次に、インクミストについて説明する。
【００３１】
記録ヘッド９から吐出されたインクは、シート１１に着弾して画像を記録すると共に、その一部は、非常に小さなインクミストとして、記録装置の機内を浮遊することがある。キャリッジ８が図３中左方の矢印Ｘ１方向に移動するときには、インクミストがキャリッジ８の図３中の右側に浮遊する。一方、キャリッジ８が図３中右方の矢印Ｘ２方向に移動するときには、インクミストがキャリッジ８の図３中の左側、つまりセンサユニット１の付近を浮遊することになる。仮に、そのインクミストがセンサユニット１の発光素子６や受光素子７に付着した場合には、発光素子６の発光量および受光素子７の受光量が低下し、その読み取り精度の劣化を招くおそれがある。
【００３２】
次に、センサユニット１におけるフレキシブルケーブル３の引き出し部分の構成について説明する。
【００３３】
本例の場合は、図５に示すように、コネクタ５におけるフレキシブルケーブル３の差し込み面５Ａと、基板４の端面４Ａと、が同一面内に位置し、基板４は、端面４Ａがハウジング２の段部２Ａに当接するようにハウジング２に固定されている。また、図６に示すように、開口部１８の幅Ｗ０は、コネクタ５の幅Ｗ１および基板４の幅Ｗ２よりも小さく設定されている。センサユニット１は、ハウジング２の開口部１８がキャリッジ８の側面８Ａに密着するように固定される。そのため、開口部１８の内部に通じるように、ハウジング２のキャリッジ８の側面８Ａとの間に形成される隙間は、フレキシブルケーブル３が引き出される切欠部１０の部分の隙間だけとなる。その隙間は、フレキシブルケーブル３が部分２Ａ，３Ｂにおいて９０度折り曲げられているため、そのフレキシブルケーブル３によってほとんど塞がれることになる。したがって、センサユニット１の内部と外部とが連通する隙間は、図６に示すように、コネクタ５の上方においてフレキシブルケーブル３の同図中左右に位置する極めて小さな隙間３６と、極めて小さなピンホール１７のみとなる。
【００３４】
また、切欠部１０は、ノズルの吐出口が形成される記録ヘッド９の吐出口面９Ａが位置する図５中下側とは反対に、つまりインクが吐出される記録ヘッド９の下側とは反対に、ハウジング２における図５中の上側に形成されている。そのため、切欠部１０はインクミストの発生位置の反対側に位置し、その切欠部１０からはインクミストが極めて入りにくい。つまり、切欠部１０は、ハウジング２の内部から外部に向かって、記録ヘッド９からのインクの吐出方向とは異なる方向に切り欠かれているため、その切欠部１０からはインクミストが極めて入りにくい。また、ハウジング２の開口部１８がキャリッジ８の側面８Ａに密着して塞がれるため、その開口部ウ１８からインクミストが入り込むことはない。また、ハウジング２の底面のピンホール１７は直径１ｍｍ以下と極めの小さいため、そのピンホール１７からはインクミストが極めて入りにくい。また、この部分にレンズを設けた場合には、レンズによってインクミストがハウジング内部に侵入することが防がれる。
【００３５】
これらの結果、インクを吐出した際に発生するインクミストが浮遊したとしても、そのインクミストはセンサユニット１の内部にまで侵入することはない。したがって、基板４、発光素子６、および受光素子７にインクミストが付着することによるセンサユニット１の性能の劣化を防止することができる。
【００３６】
このように、ハウジングは開口を有し、ハウジングがキャリッジに取り付けられた状態ではキャリッジの側面により開口が塞がれる。そして、センサユニットのハウジングとキャリッジの側面とが対向する部位では、ハウジングに、ハウジングの内部から記録ヘッドからインクが吐出する方向とは異なる方向に沿って切り欠かれた切欠部が形成されている。これにより、特別なシール構造を必要とすることなく、ハウジングの開口部からセンサユニット内へのインクミストの侵入を抑えつつ、センサユニットに対するケーブルの接続および接続解除の作業性を向上させることができる。
【００３７】
（第２の実施形態）
図８は、本発明の第２の実施形態の説明図である。本実施形態の場合は、第１の実施形態においてハウジング２に形成されていた切欠部１０の代わりに、キャリッジ８の側面８Ａに切欠部３５を形成している。フレキシブルケーブル３は、第１の実施形態の場合と同様に、部分３Ａにて９０度折り曲げられてから、キャリッジ８の切欠部３５に沿って上方に引き出される。さらにフレキシブルケーブル３は、第１の実施形態の場合と同様に、部分３Ｂにて９０度折り曲げられてから、キャリッジ８の側面８Ａに形成されている不図示の開口部を通されて、その他端が不図示のキャリッジ基板に接続される。
【００３８】
このように、センサユニットのハウジングとキャリッジの側面とが対向する部位には、側面に、ハウジングの内部から記録ヘッドからインクが吐出する方向とは異なる方向に沿って切り欠かれた切欠部が形成されている。これにより、第１の実施形態を同様の効果を得ることができる。
【００３９】
（第３の実施形態）
図９は、本発明の第３の実施形態の説明図である。本実施形態の場合は、第１の実施形態におけるハウジング２の切欠部１０に合う大きさの弾性部材１２（例えば、スポンジやゴムのような部材）を備えており、その弾性部材１２は、キャリッジ８の側面８Ａに両面テープ等で貼り付ける。弾性部材１２は、センサユニット１をビス３４によってキャリッジ８に固定したときに、フレキシブルケーブル３をハウジング２の側面に押し付ける。この結果、切欠部１０が弾性部材１２により塞がれて、その切欠部１０における隙間がなくなる。
【００４０】
（第４の実施形態）
図１０は、本発明の第４の実施形態の説明図である。本実施形態の場合は、第２実施形態におけるキャリッジ８の切欠部３５に合う大きさの弾性部材１２（例えば、スポンジやゴムのような部材）を備えており、その弾性部材１２は、キャリッジ８の側面８Ａに両面テープ等で貼り付ける。その弾性部材１２は、センサユニット１をビス３４によってキャリッジ８に固定したときに、フレキシブルケーブル３をハウジング２の側面に押し付ける。この結果、切欠部１０が弾性部材１２により塞がれて、その切欠部１０における隙間が埋められてなくなる。
【００４１】
上述の実施形態では、センサユニットのハウジングとキャリッジの側面とが対向する部位には、ハウジングと側面の少なくとも一方に、ハウジングの内部から記録ヘッドからインクが吐出する方向とは異なる方向に沿って切り欠かれた切欠部が形成されている。つまり、センサユニットのハウジングとキャリッジの側面の一方に切欠部を形成しているが、これら両方に切欠部を形成するようにしてもよい。
【００４２】
また、切欠部は、センサユニットのハウジングの内部から外部に向かって、記録ヘッドからのインクの吐出方向とは異なる方向に切り欠かれたものであればよい。つまり切欠部は、インクの吐出方向と逆方向に沿って切り欠かれた形態に限定されず、例えばインクの吐出方向と直交する方向（図５の紙面の垂直方向）に沿って切り欠かれたものであってもよい。記録ヘッドから発生したインクミストは主に下方向から回り込むので、切欠部がインクの吐出方向とは異なる方向に切り欠かれていれば、インクミストが切欠部からセンサハウジングの内部に侵入することは大きく軽減される。
【符号の説明】
【００４３】
１  センサユニット
２  ハウジング
３  フレキシブルケーブル（ＦＦＣ）
４  基板
５  コネクタ
６  発光素子
７  受光素子
８  キャリッジ
９  記録ヘッド
１０  切欠部
１１  シート
１２  弾性部材
１８  開口部
３５  切欠部
【図１】
2013202827.tif 000003
【図２】
2013202827.tif 000004
【図３】
2013202827.tif 000005
【図４】
2013202827.tif 000006
【図５】
2013202827.tif 000007
【図６】
2013202827.tif 000008
【図７】
2013202827.tif 000009
【図８】
2013202827.tif 000010
【図９】
2013202827.tif 000011
【図１０】
2013202827.tif 000012